(57)【要約】【課題】鉄道線路等のバラスト道床用コンクリートブロックの移動、設置工程においてブロックの搬送から、施工を工事者の安全確保を前提として省力、省時間とする器具が必要である。【解決手段】前記コンクリートブロック移動吊具であって、２ブロックを搬送形態のまま安定吊り上げ移動し、これを２ブロック同時に吊戻し設置可能とする２ブロック姿勢制限機構およびロックバー固定溝付きテーパーピンを一体装備したコンクリートブロック移動吊具。【選択図】図１
2011231605.tif 000002
【特許請求の範囲】
【請求項１】
鉄道線路等のバラスト道床用コンクリートブロックの吊り上げ吊戻し具に関わり、搬送、施工工程において前記コンクリートブロック２基同時の吊り上げ移動、吊戻し施工を２連のアングル部、アングル上部設置の回転ロッド部およびアングル下部に設置のロックバー固定溝付きテーパーピンを以て可能とする２ブロック同時吊具。
【請求項２】
鉄道線路等のバラスト道床用コンクリートブロックの吊り上げ吊戻し具に関わり、請求項１記述の２連のアングル部は、搬送形態もしくは施工形態に基づく当該ブロック前面立面または背面立面を回転ロッド部を介して接し支持、各アングル下部に設置のロックバー固定溝付きテーパーピンは、前記各ブロック立面下部を貫通構築する水抜き穴に挿入されると同時にピン抜け防止バーで連結固定することを以て前記アングル部とともに２ブロックの前後背面の姿勢安定状態を齎す。
【請求項３】
請求項１、請求項２コンクリート２ブロック同時吊具に関わり、各アングル下部設置のピンは、円筒テーパ形状、ピン抜け防止ロックバー用固定溝を有し、前記２基のコンクリートブロック長さ方向の水平姿勢保持の効果を持つ。
【発明の詳細な説明】
【技術分野】
【０００１】本発明は、複数のブロックを左右に連結して鉄道線路等の路盤上に敷設することにより歩行面を確保しバラストの流出を留めるためのバラスト道床用ブロック搬送、移動施工を２ブロック同時に実施可能な吊具に関する。
【背景技術】
【０００２】鉄道線路等のバラスト道床用コンクリートブロックにはＬ字型ブロック、Ｔ字型ブロック等各種の構造がある。このブロックを施工現場までいくつかの工程を経由して搬送されるが、とくに施工現場の限られた時間内での作業はより効率的かつ安全な搬送が求められる。
【発明の概要】
【発明が解決しようとする課題】
【０００３】鉄道線路等のバラスト道床用コンクリートブロック設置においては限られた時間、人員で施工をしなければならない。しかしながら大型の重機等が使用出来ない環境においては、人力を以て対応せざる得ない。安全を前提としてより効率的な搬送、施工が求められる。
また施工に合わせたコンクリートブロック各種の形状の故、搬送、吊り上げに不向きな形状となっているため作業者にとって大変危険であるばかりでなく、資材の破損の危惧を含んでいる。また作業撤収において施工補助部材の構成は一体であることが置き忘れ防止管理上も重要である。
【課題を解決するための手段】
【０００４】バラスト道床用コンクリートブロックの吊具は、前記課題を解決する為以下の構成となっている。
最小限の人力で前記ブロックを２ブロック同時に吊り上げ可能な一体型吊具。
前記ブロックへの装着、離脱を迅速に実施可能かつ脱落しない構造とする。
吊り上げ移動時における２ブロックの水平バランス・垂直姿勢を常に維持可能とする。【０００５】バラスト道床用コンクリートブロックは、施工立面に水抜き穴が構造的にブロックの幅方向に貫通している。この貫通穴と施工前背面からの抑えを以て前記２ブロックを１セットとして同時に吊り上げることを当発明第一の構成とする。【０００６】吊り上げ時の安定姿勢制御に関して、前記２ブロックの前背面方向安定（図２  ブロック前後方向Ｚ）には当発明吊具の各アングル部、回転ロッド部および吊具アングル下部に設置のロックバー固定溝付きテーパーピンを前記水抜き穴への挿入によって鉛直方向Ｙ姿勢が安定となることを当発明第二の構成とする。【０００７】また２ブロック長手方向（図２  ブロック長手方向Ｘ）の水平分離崩れは、前記吊具各アングル下部に設置のロックバー固定溝付きテーパーピンおよび当該ピン抜け防止バーによる連結固定によって防止される。
上記構成により吊り上げ時および移動時において２ブロックの姿勢は常時安定であり、またロックバー固定溝付きテーパーピンおよび当該ピン抜け防止バーによる連結固定はブロック落下防止に効果的であることを当発明第三の構成とする。
【発明の効果】
【０００９】バラスト道床用コンクリートブロック搬送、施工工程における吊り上げ移動、吊戻し施工を２ブロック同時に最小限の人力で短時間で安全に実施可能となる。
以下に、本発明に係る実施例を、図面を参照して説明する。
【実施例１】
【００１０】図１．１ａ、１．１ｂ、１．１ｃはバラスト道床用コンクリートブロック単体の構造例を示している。
本発明は図２のごとく前記ブロック２個を同時に吊り上げ搬送可能とする吊具である。
図３、３ａごとく本発明吊具を図２の２ブロックに装着することにより吊具本体アングル、回転型ロッド、アングル下部２個所のロックバー固定溝付きテーパーピンにより２ブロックが一体固定され、更に前記テーパーピン相互をロックバーと咬合することによりブロックの抜け落ちを防止している。
図１ａは吊具本体構造正面図を示している。
図１ｂは吊具本体構造側面図である。
図１．１ａはバラスト道床用コンクリートブロック単体の平面図例。
図１．１ｂはバラスト道床用コンクリートブロック単体の側面図例。
図１．１ｃはバラスト道床用コンクリートブロック単体の正面図例。
図２は本発明の吊具を装着する上記図１．１ｃブロックを並べた状態を示す。
図３は本発明の２ブロック対応吊具を装着した図である。本発明の吊具アングル下部ロックバー固定溝付きテーパーピンをバラスト道床用コンクリートブロックの水抜き穴に挿入した状態を示す。
【図面の簡単な説明】
【００１１】
【図１】本発明のブロック吊具正面図
【図１ａ】本発明吊具正面図
【図１ｂ】本発明吊具側面図
【図１．１ａ】バラスト道床用コンクリートブロック単体平面図
【図１．１ｂ】バラスト道床用コンクリートブロック単体側面図
【図１．１ｃ】バラスト道床用コンクリートブロック単体正面図
【図２】本発明吊具装着前のバラスト道床用コンクリートブロック単体２個（前正面図）
【図３】本発明吊具装着後の状態
【図３ａ】本発明吊具装着後の図３  ＡＡ−ＡＡ″略断面図
【図４】テーパピン正面図
【符号の説明】
【００１２】１．１  吊具本体アングル
１．２  吊具本体アングル
１．３  ロックバー固定溝付きテーパーピン
１．４  ロックバー固定溝付きテーパーピン
１．５  回転ロッド
１．６  回転ロッド
１．７  ピン抜け防止ロックバー
１．８  吊り上げフック
１．９  連結鎖
２．１  バラスト道床用コンクリートブロック単体
２．２  バラスト道床用コンクリートブロック単体
２．３  水抜き穴
４．１  ロックバー噛合溝
Ｂ      水抜き穴
【図１】
2011231605.tif 000003
【図１ａ】
2011231605.tif 000004
【図１ｂ】
2011231605.tif 000005
【図２】
2011231605.tif 000006
【図３】
2011231605.tif 000007
【図３ａ】
2011231605.tif 000008
【図４】
2011231605.tif 000009
【図１．１ａ】
2011231605.tif 000010
【図１．１ｂ】
2011231605.tif 000011
【図１．１ｃ】
2011231605.tif 000012